(57)【特許請求の範囲】
【請求項１】
段ボールシートで被梱包物を梱包しつつ、前記段ボールシートを折り曲げ、組み立てることにより形成される段ボール箱において、
平行な３本の境界線を介して連なる第１〜第４の側面部を有し、前記境界線で各側面部を垂直に折り曲げることにより形成される四角筒状の本体と、
前記第１側面部の側端部に折れ線部を介して延設され、該第１側面部と前記第４側面部とを接着するためののりしろ部と、
前記折れ線部のみに間隔をおいて設けられた、前記のりしろ部又は前記折れ線部上に位置し該折れ線部に沿って延びる直線状の切り込み部と、該直線状の切り込み部の両端から前記第１側面部側に向かって延びる前記折れ線部に垂直な一対の切り込み部とからなる複数のコ字状の切り込みとを備え、
前記折れ線部で前記のりしろ部を折り曲げることにより前記切り込みにより複数の長方形状の片部が形成されると共に前記片部が前記切り込みに入り込んで前記のりしろ部の折り曲げ状態を保持することを特徴とする段ボール箱。
【発明の詳細な説明】
【技術分野】
【０００１】
本発明は、自動製函機等によって製造される段ボール箱に関する。
【背景技術】
【０００２】
従来から自動製函機で製品を梱包しつつ段ボール箱を組み立てることが行われている（特許文献１参照）。
【０００３】
例えば、図１は段ボール箱に組み立てられる前の段ボールシートの平面図を示している。段ボールシートは、平行な３本の境界線１１、１２、１３を介して４つの側面部（第１側面部２１〜第４側面部２４）が連なり、各側面部の両端にはフラップ境界線３２を介してフラップ３１が形成された形状をなす。一端に位置する第１側面部２１にはのりしろ部４１が折れ線４２を介して延設されている。
【０００４】
上記段ボールシートは、以下の過程を経て組み立てられる。
まず、被梱包物を第２側面部２２に配置し、フラップ境界線３２を折り曲げて全てのフラップ３１を立ち上げる。境界線１１と１２を折り、第１側面部２１と第３側面部２３及びそれに連なる第４側面部２４を第２側面部２２に垂直になるまで立ち上げ、第１側面部２１、第３側面部２３を押さえて該折り曲げ状態を保持する。次に折れ線４２を折り、のりしろ部４１を第１側面部２１に垂直になるまで折り曲げる。最後に境界線１３を折り、第４側面部２４を第３側面部２３に垂直になるまで折り曲げて、接着剤でのりしろ部４１に接着する。これらの側面部２１〜２４を折り曲げる際にはフラップ３１を互いに組み込んで折り入れ、箱の両端部を閉じる。
【先行技術文献】
【特許文献】
【０００５】
【特許文献１】特開2008-6616号公報
【発明の概要】
【発明が解決しようとする課題】
【０００６】
上記の製函過程では、隣接する側面部が互いに垂直な位置関係となる折り曲げ状態を保持しなければならない。
段ボールシートは図２（ａ）の断面図に示すように、平板である表ライナー５０と裏ライナー６０の間に波板７０が挟まれた構造である。このような厚みのあるシートを図２（ａ）下図に示すように位置Ｘで折り曲げると、位置Ｘ周辺の波板７０と裏ライナー６０が押し潰されるため、折り曲げ部Ｑに対し、折り曲げ状態を解消しようとする力（復元力）が生じる（図の矢印参照）。
【０００７】
このような復元力を抑えるため、各側面部の折り曲げ状態を保持するための押さえ金具を自動製函機は備えている。各側面部は全面を押さえ金具で押さえて垂直な折れ曲げ状態を保持することができるが、のりしろ部４１には接着剤が塗布されているため、全面を押さえて保持することができない。のりしろ部４１の折り曲げが不完全であると、第４側面部２４との接着がうまくいかない。
【０００８】
本発明は上記のような問題に鑑みて成されたものであり、自動製函機で製造される過程でのりしろ部の折り曲げ状態が元に戻らない段ボール箱を提供することを課題とする。
【課題を解決するための手段】
【０００９】
上記課題を解決するために成された本発明に係る段ボール箱は、段ボールシートで被梱包物を梱包しつつ、前記段ボールシートを折り曲げ、組み立てることにより形成される段ボール箱において、
平行な３本の境界線を介して連なる第１〜第４の側面部を有し、前記境界線で各側面部を垂直に折り曲げることにより形成される四角筒状の本体と、
前記第１側面部の側端部に折れ線部を介して延設され、該第１側面部と前記第４側面部とを接着するためののりしろ部と、
前記折れ線部のみに間隔をおいて設けられた、前記のりしろ部又は前記折れ線部上に位置し該折れ線部に沿って延びる直線状の切り込み部と、該直線状の切り込み部の両端から前記第１側面部側に向かって延びる前記折れ線部に垂直な一対の切り込み部とからなる複数のコ字状の切り込みとを備え、
前記折れ線部で前記のりしろ部を折り曲げることにより前記切り込みにより長方形状の片部が形成されると共に前記片部が前記切り込みに入り込んで前記のりしろ部の折り曲げ状態を保持することを特徴とする。
【発明の効果】
【００１０】
本発明に係る段ボール箱では、のりしろ部を折り曲げるための折れ線に部分的に切り込みを設けた。この切り込みによって、折れ線部でのりしろ部を折り曲げると、折れ線部に設けられた切り込みによって片部が生じる。この片部が切り込みに入り込むことによってのりしろ部の折り曲げ状態が垂直に保持されるため、のりしろ部と第４側面部とを確実に接着できる。
【図面の簡単な説明】
【００１１】
【図１】従来の段ボール箱の展開図。
【図２】（ａ）段ボールシートの断面図と、段ボールシートを垂直に折り曲げた断面図、（ｂ）図３（ａ）の段ボールシートの位置Ｙにおける断面図と、図３（ｂ）の段ボールシートの位置Ｙにおける断面図。
【図３】（ａ）切り込みを有する折れ線の設けられた段ボールシートの部分拡大図、（ｂ）折れ線で折り曲げられた（ａ）の段ボールシートの部分斜視図。
【図４】本実施例に係る段ボール箱の展開図。
【発明を実施するための形態】
【００１２】
以下、本発明の実施例について図２〜図４を用いて説明する。
【実施例】
【００１３】
図４は本実施例に係る段ボール箱の展開図を示している。側面部２１〜２４、境界線１１〜１３、フラップ３１、フラップ境界線３２は従来の段ボール箱と同様のものであるが、のりしろ折れ線８１に特徴がある。
具体的には、本実施例に係る段ボール箱は折れ線８１上に複数の切り込み８２を有する。切り込み８２は折れ線８１に沿った数センチメートルの直線状の切り込みと、その端部に設けられ、折れ線８１に略垂直な数ミリメートルの切り込みから成り、コの字型の形状をとる。
【００１４】
本実施例に係る段ボール箱は、自動製函機で被梱包品を梱包しつつ製造される。被梱包品を側面部２２に配置し、フラップ境界線３２及び境界線１１〜１３を折る過程は、従来の段ボール箱の製造過程と同様である。
【００１５】
本実施例に係る段ボール箱では、製造過程で折り曲げ部に対して生じる、折り曲げ状態を解消しようとする復元力が軽減される。その仕組みを図２（ａ）を参照しつつ図２（ｂ）及び図３を用いて簡単に説明する。
【００１６】
図３（ａ）は本実施例に係る段ボール箱の展開図の内、のりしろ部４１と第１側面部２１の一部分を、（ｂ）は（ａ）を折れ線８１で折り曲げた斜視図を示している。図３において、Ｙは切り込み８２の設けられた部分の折れ線８１上の一点、Ｘ’は切り込み８２の設けられていない部分の折れ線８１上の一点である。
図２（ｂ）は、図３（ａ）、（ｂ）の各段ボールシートの位置Ｙにおける断面図を示している。図３（ａ）、（ｂ）の各段ボールシートの位置Ｘ’における断面図は図２（ａ）と同様のものになるため、以下では位置Ｘ’における断面図を図２（ａ）として説明する。
【００１７】
切り込み８２の設けられていない位置Ｘ’における断面図（図２（ａ））では、のりしろ部Ｑ’を折り曲げると位置Ｘ’の周辺で波板７０と裏ライナー６０が押しつぶされる。従って、図２（ａ）下図のように垂直に折り曲げた状態では、のりしろ部Ｑ’に対して元に戻そうとする力（復元力）が作用する。
【００１８】
一方、切り込み８２の設けられた位置Ｙにおける断面図（図２（ｂ））では、のりしろ部Ｓを折り曲げても、のりしろ部Ｓと第一側面部Ｒは分断されているため、波板７０や裏ライナー６０が押し潰されることはない。
また、切り込み８２をコ字状にしたことにより、のりしろ部Ｓは第１側面部Ｒの切り込み部分に入り込み、切り込み８２の縁で係止される。このため、たとえＸ’で復元力が作用しても全体として折り曲げた状態を保持することができる。
【００１９】
本実施例ではこのような切り込み８２を折れ線８１の複数の箇所に設けたため、折れ線８１を一旦垂直に折り曲げると、その状態が容易に保持される。従って、製函過程において第４側面部２４との接着時にのりしろ部４１が反発せず、のりしろ部４１と第４側面部２４とを確実に接着することができる。
【００２０】
なお、本発明は上記実施例に限定されるものではなく、本発明の趣旨の範囲で適切な構成が許容される。
例えば、上記実施例では折れ線８１の６箇所に切り込み８２が設けられているが、切り込み８２の個数は当然これに限定されるものではなく、極端な場合には１個のみでも効果を奏する場合がある。
また、切り込み８２のサイズや形状も上記に限定されるものではなく、復元力に対抗して折り曲げ状態を保持できる程度のものであればよい。
【符号の説明】
【００２１】
１１〜１３…境界線
２１…第１側面部
２２…第２側面部
２３…第３側面部
２４…第４側面部
３１…フラップ
３２…フラップ境界線
４１…のりしろ部
４２…のりしろ折れ線
５０…表ライナー
６０…裏ライナー
７０…波板
８１…のりしろ折れ線
８２…切り込み
【図１】
0005595013.tif 000002
【図２】
0005595013.tif 000003
【図３】
0005595013.tif 000004
【図４】
0005595013.tif 000005